(57)【要約】【課題】フレキ基板の長さ余裕をもって長めに設定しても、組み付け後にフレキ基板の余剰部分が不用意に変形するのを抑制して、他部品に対して押圧力や引張力が作用しないようにする仕組みを提供する。【解決手段】電子機器は、撮像素子２０１が実装されるフレキシブル基板２０２と、撮像素子２０１を保持するレンズ鏡筒２００と、フレキシブル基板２０２を電気的に接続することができるメイン基板６０５と、メイン基板６０５を保持する電池収納部３００と、レンズ鏡筒２００および電池収納部３００が取り付けられるシャーシ３０３と、を備える。撮像素子２０１とメイン基板６０５とがシャーシ３０３の一方面側にてシャーシ３０３の面に沿って並ぶように、レンズ鏡筒２００と電池収納部３００がシャーシ３０３に取り付けられており、フレキシブル基板２０２が凸部３０４と凹部２１０との間を通ってメイン基板６０５に接続されている。【選択図】図４
2015222911.tif 000002
【特許請求の範囲】
【請求項１】
撮像素子と、
前記撮像素子が実装されるフレキシブル基板と、
前記撮像素子を保持する第１の保持部材と、
前記フレキシブル基板を電気的に接続することができる回路基板と、
前記回路基板を保持する第２の保持部材と、
前記第１の保持部材および前記第２の保持部材が取り付けられるシャーシ部材と、を備え、
前記撮像素子と前記回路基板とが前記シャーシ部材の一方面側にて前記シャーシ部材の面に沿って並ぶように、前記第１の保持部材と前記第２の保持部材が前記シャーシ部材に取り付けられており、
前記シャーシ部材には、凸部が前記シャーシ部材の前記一方面側に突出形成されており、
前記第１の保持部材には、前記シャーシ部材の前記凸部に対向する位置に凹部が形成されており、
前記フレキシブル基板は、前記凸部と前記凹部との間を通って、前記回路基板に電気的に接続されていることを特徴とする電子機器。
【請求項２】
前記第２の保持部材には、前記シャーシ部材の前記凸部と対向しない位置に、前記フレキシブル基板に当接する当接部が形成されていることを特徴とする請求項１に記載の電子機器。
【請求項３】
前記フレキシブル基板には、差動信号配線パターンが形成され、前記凸部は、前記差動信号配線パターンを回避する位置に設けられることを特徴とする請求項１又は２に記載の電子機器。
【請求項４】
前記回路基板には、前記フレキシブル基板の接続部を接続することができるコネクタが実装されており、
前記フレキシブル基板の前記接続部の裏面には、補強板が設けられており、
前記補強板は、前記第２の保持部材の前記当接部まで延びて配置されることを特徴とする請求項１乃至３のいずれか１項に記載の電子機器。
【発明の詳細な説明】
【技術分野】
【０００１】
本発明は、例えばデジタルカメラやデジタルビデオカメラ等の電子機器に関する。
【背景技術】
【０００２】
デジタルカメラ等の電子機器では、電気回路の接続にフレキシブル基板を用いるものがある（特許文献１）。この提案では、レンズ鏡筒の側部に電池収納部が隣接して設けられ、電池収納部及びレンズ鏡筒の背面側には、ＬＣＤ等の表示部が設けられている。また、電池収納部の背面側には、プリント基板が設けられ、プリント基板のレンズ鏡筒側の端部近傍には、コネクタが実装されている。
【０００３】
そして、レンズ鏡筒の背面側に配置された撮像素子から延出したフレキシブル基板は、レンズ鏡筒と表示部との間を通った後、その延出端がプリント基板のコネクタに接続される。これにより、撮像素子とプリント基板のコネクタとがフレキシブル基板を介して電気的に接続される。
【先行技術文献】
【特許文献】
【０００４】
【特許文献１】特開２００９−１７７２７６号公報
【発明の概要】
【発明が解決しようとする課題】
【０００５】
ところで、近年、高画質化の要求に伴い、撮影光学系の結像面に対して撮像素子の受光面の位置合わせを高精度に行う必要性が高まっている。このため、レンズ鏡筒に対して撮像素子の位置や傾きを調整する面倒れ調整が必要となっている。
【０００６】
しかし、上記特許文献１では、フレキシブル基板を介してコネクタと撮像素子とを接続する場合、撮像素子及びコネクタの実装位置のズレや撮像素子の面倒れ調整の調整しろを考慮する必要がある。このため、フレキシブル基板の長さは、組み付けのために最低限必要な長さよりも余裕をもって長めに設定される。また、レンズ鏡筒と電池収納部は、それぞれシャーシなどの構造物に固定するため、相対的な位置の精度が出しにくい。
【０００７】
そのため、上述のように余裕を持ったフレキシブル基板を組み付けると、長さの余剰部分の不用意な変形により引張力や圧縮力が発生して、他部品に対して押圧力や引張力として作用する。
【０００８】
例えば、組み付け後にフレキシブル基板の余剰部分が不用意に変形すると、表示部のＬＣＤパネルに所定値以上の押圧力が作用し、表示部の表示面にモアレが発生する等の不具合が生じる。
【０００９】
また、フレキシブル基板の余剰部分が不用意に変形すると、フレキシブル基板と撮像素子との接続部（半田付け部）に過度な引張力が作用するという問題が生じる。
【００１０】
そこで、本発明は、フレキシブル基板の長さ余裕をもって長めに設定しても、組み付け後にフレキシブル基板の余剰部分が不用意に変形するのを抑制して、他部品に対して押圧力や引張力が作用しないようにする仕組みを提供することを目的とする。
【課題を解決するための手段】
【００１１】
上記目的を達成するために、本発明の電子機器は、撮像素子と、前記撮像素子が実装されるフレキシブル基板と、前記撮像素子を保持する第１の保持部材と、前記フレキシブル基板を電気的に接続することができる回路基板と、前記回路基板を保持する第２の保持部材と、前記第１の保持部材および前記第２の保持部材が取り付けられるシャーシ部材と、を備え、前記撮像素子と前記回路基板とが前記シャーシ部材の一方面側にて前記シャーシ部材の面に沿って並ぶように、前記第１の保持部材と前記第２の保持部材が前記シャーシ部材に取り付けられており、前記シャーシ部材には、凸部が前記シャーシ部材の前記一方面側に突出形成されており、前記第１の保持部材には、前記シャーシ部材の前記凸部に対向する位置に凹部が形成されており、前記フレキシブル基板は、前記凸部と前記凹部との間を通って、前記回路基板に電気的に接続されていることを特徴とする。
【発明の効果】
【００１２】
本発明によれば、フレキシブル基板の長さ余裕をもって長めに設定しても、組み付け後にフレキシブル基板の余剰部分が不用意に変形するのを抑制して、他部品に対して押圧力や引張力が作用しないようにすることができる。
【図面の簡単な説明】
【００１３】
【図１】（ａ）は本発明の電子機器の第１の実施形態であるデジタルカメラを正面側（被写体側）から見た斜視図、（ｂ）は（ａ）に示すデジタルカメラを背面側から見た斜視図である。
【図２】図１（ｂ）に示すデジタルカメラの分解斜視図である。
【図３】（ａ）はフレキシブル基板をカメラ本体の正面側から見た第１の配線部の配線パターンを示す概略図、（ｂ）はフレキシブル基板をカメラ本体の背面側から見た第２の配線部の配線パターンを示す概略図である。
【図４】カメラ本体の要部断面図である。
【図５】（ａ）は背面カバー及び表示部を取り外した状態をカメラ本体の背面側から見た図、（ｂ）は（ａ）の状態からさらにメインシャーシを取り外した状態をカメラ本体の背面側から見た図である。
【図６】図５（ａ）のＢ−Ｂ線断面図である。
【図７】図４の部分拡大断面図である。
【図８】本発明の電子機器の第２の実施形態であるデジタルカメラにおけるカメラ本体の要部断面図である。
【発明を実施するための形態】
【００１４】
以下、図面を参照して、本発明の実施形態を説明する。
【００１５】
（第１の実施形態）
図１（ａ）は本発明の電子機器の第１の実施形態であるデジタルカメラを正面側（被写体側）から見た斜視図、図１（ｂ）は図１（ａ）に示すデジタルカメラを背面側から見た斜視図である。
【００１６】
本実施形態のデジタルカメラは、図１に示すように、正面カバー１０９と背面カバー１１０によりカメラ本体１００の外装が形成される。カメラ本体１００の正面側には、沈胴式のレンズ鏡筒２００が設けられる。カメラ本体１００を正面側から見てレンズ鏡筒２００の右上には、ストロボ発光窓４００ａが設けられ、レンズ鏡筒２００の径方向左側には、電池収納部３００が設けられる。
【００１７】
カメラ本体１００の上面部には、電源ボタン１０１及びレリーズボタン１０２、及びズームレバー１０３等が設けられる。また、カメラ本体１００の背面側には、ＬＣＤ等により構成される表示部５００が設けられ、表示部５００の側部には、各種操作ボタン群１０５が設けられ、表示部５００の上側には、スピーカ穴３０１ａがスピーカ３０１（図２参照）に対応して設けられる。
【００１８】
図２は、図１（ｂ）に示すデジタルカメラの分解斜視図である。図２において、撮像素子２０１は、ＣＣＤセンサやＣＭＯＳセンサ等で構成され、フレキシブル基板２０２に実装されて、レンズ鏡筒２００の撮影光学系を通過して結像した被写体像を光電変換して画像信号を出力する。
【００１９】
フレキシブル基板２０２は、絶縁性を有するポリイミド等のベースフィルム及びカバーフィルムにより銅箔からなる配線パターンを挟み、熱硬化性の接着材を用いて接着して形成される。
【００２０】
トップユニット１０８は、電源ボタン１０１、レリーズボタン１０２及びズームレバー１０３を構成し、カメラ本体１００の上側から電池収納部３００に不図示の係止爪によって固定される。正面カバー１０９と背面カバー１１０とは、不図示の係止爪によって互いに固定され、ビス等により電池収納部３００等の構造体に固定される。
【００２１】
また、フレキシブル操作基板６００（以下、操作基板６００という。）は、表示部５００の側部において、電池収納部３００の上面側及び背面側に屈曲して配置される。操作基板６００の上面側は、電池収納部３００に保持され、操作基板６００の背面側は、サブシャーシ３０２により保持される。
【００２２】
操作基板６００には、電源ボタン１０１、レリーズボタン１０２、及びズームレバー１０３の操作をそれぞれ検知するためのメタルドームシート６０１、レリーズスイッチ６０２、及びズームパターン６０３が実装される。また、操作基板６００には、操作ボタン群１０５の操作をそれぞれ検知するためのメタルドームシート６０４が実装される。
【００２３】
メイン基板６０５は、電池収納部３００の背面側にビス等により固定される。メイン基板６０５の背面側には、メインシャーシ３０３が配置される。メイン基板６０５は、本発明の回路基板の一例に相当する。
【００２４】
メインシャーシ３０３には、レンズ鏡筒２００、電池収納部３００、ストロボユニット４００、サブシャーシ３０２、及び表示部５００が取り付けられている。レンズ鏡筒２００、電池収納部３００およびサブシャーシ３０２は、メインシャーシ３０３の一方面側にてメインシャーシ３０３の面に沿って並ぶように、メインシャーシ３０３に取り付けられている。メインシャーシ３０３は、本発明のシャーシ部材の一例に相当する。レンズ鏡筒２００は、本発明の第１の保持部材の一例に相当する。電池収納部３００は、本発明の第２の保持部材の一例に相当する。
【００２５】
メイン基板６０５のレンズ鏡筒２００側の基板面には、コネクタ６０６（図５（ｂ）参照）が実装されている。そして、フレキシブル基板２０２は、レンズ鏡筒２００とメインシャーシ３０３との間を通った後、その接続部がメイン基板６０５に実装されたコネクタ６０６に接続される。これにより、撮像素子２０１とメイン基板６０５とがフレキシブル基板２０２を介して電気的に接続される。
【００２６】
また、撮像素子２０１は、フレキシブル基板２０２と一体に固定用プレート２０３に固定される。固定用プレート２０３は、レンズ鏡筒２００の光軸に対して位置や傾きを調整可能に設けられ、撮影光学系の結像面に対して撮像素子２０１の受光面の位置合わせを高精度に行うことが可能になっている。
【００２７】
ここで、フレキシブル基板２０２の長さは、撮像素子２０１及びコネクタ６０６の実装位置ズレや撮像素子２０１の面倒れ調整の調整しろ等を考慮して余裕をもって長めに設定されている。
【００２８】
図３（ａ）は、フレキシブル基板２０２をカメラ本体１００の正面側から見た第１の配線部２０２ａの配線パターンを示す概略図である。図３（ｂ）は、フレキシブル基板２０２をカメラ本体１００の背面側から見た第２の配線部２０２ｂの配線パターンを示す概略図である。
【００２９】
図３（ａ）、（ｂ）に示すように、フレキシブル基板２０２の両面には、銅箔よりなる金属パターンが形成されている。フレキシブル基板２０２の両面の金属パターンをスルーホールメッキ等で接続することにより、フレキシブル基板２０２は、両面配線可能な回路基板として機能する。
【００３０】
フレキシブル基板２０２をカメラ本体１００の正面側から見た第１の配線部２０２ａには、撮像素子２０１が実装される。第１の配線部２０２ａには、撮像素子２０１で光電変換された画像データを転送する差動信号配線パターン２０４、撮像素子２０１を制御する配線パターン２０５、撮像素子２０１の電源配線パターン２０６、及びグランド配線パターン２０７ａ等が形成される。また、第１の配線部２０２ａには、メイン基板６０５のコネクタ６０６に接続する箇所にコネクタ接続パターン２０８が形成される。
【００３１】
一方、フレキシブル基板２０２をカメラ本体１００の背面側から見た第２の配線部２０２ｂには、第１の配線部２０２ａの各配線パターン２０４〜２０６，２０７ａを保護するグランド配線パターン２０７ｂが形成される。また、第２の配線部２０２ｂにおいて、第１の配線部２０２ａのコネクタ接続パターン２０８に対応する面、即ち、コネクタ接続パターン２０８の裏面には、補強板２０９が取り付けられる。
【００３２】
図４は、カメラ本体１００の要部断面図である。図５（ａ）は、背面カバー１１０及び表示部５００を取り外した状態をカメラ本体１００の背面側から見た図である。図５（ｂ）は、図５（ａ）の状態からさらにメインシャーシ３０３を取り外した状態をカメラ本体１００の背面側から見た図である。図６は、図５（ａ）のＢ−Ｂ線断面図である。図７は、図４の部分拡大断面図である。
【００３３】
図４乃至図６に示すように、メインシャーシ３０３には、フレキシブル基板２０２がコネクタ６０６に接続された状態において、フレキシブル基板２０２の余剰分をメイン基板６０５の近傍でレンズ鏡筒２００側に押し付ける第１の凸部３０４が形成される。
【００３４】
また、メインシャーシ３０３には、同様に、フレキシブル基板２０２の余剰分を撮像素子２０１の近傍でレンズ鏡筒２００側に押し付ける第２の凸部３０５が形成される。本実施形態では、第１の凸部３０４及び第２の凸部３０５は、それぞれフレキシブル基板２０２の幅方向に互いに離間して２箇所配置される（図６参照）。
【００３５】
レンズ鏡筒２００には、第１の凸部３０４と対向する位置に、第１の凹部２１０が突出形成されている。レンズ鏡筒２００には、第２の凸部３０５と対向する位置には、第２の凹部２１１が突出形成される。第１の凹部２１０及び第２の凹部２１１には、第１の凸部３０４及び第２の凸部３０５により押し付けられたフレキシブル基板２０２の余剰分が退避して収容される。
【００３６】
また、コネクタ６０６は、フレキシブル基板２０２が接続された状態において、フレキシブル基板２０２を光軸と直交する平面に対して被写体側に傾斜する方向に保持するように構成される。電池収納部３００には、コネクタ６０６とメインシャーシ３０３の第１の凸部３０４との間でフレキシブル基板２０２の被写体側の面に当接する受け部３０６が設けられる。
【００３７】
受け部３０６は、コネクタ６０６より第１の凸部３０４に近い側に配置され、コネクタ６０６は、受け部３０６のフレキシブル基板２０２の受け面より被写体側に配置される。また、受け部３０６の前記受け面は、光軸と直交する平面に対してコネクタ６０６側に傾斜する傾斜面とされている。受け部３０６は、本発明の当接部の一例に相当する。従って、フレキシブル基板２０２は、第１の凸部３０４及び受け部３０６により動きを規制された状態で光軸と直交する平面に対して被写体側に傾斜する方向に延びてコネクタ６０６に接続されている。
【００３８】
フレキシブル基板２０２がコネクタ６０６に接続された状態においては、補強板２０９のコネクタ６０６から離間する側の端部２０９ａは、受け部３０６に達する位置まで延在している。また、メイン基板６０５には、コネクタ６０６のフレキシブル基板２０２の接続口６０６ａ近傍に素子６０７が実装される。
【００３９】
また、図６に示すように、フレキシブル基板２０２の幅方向の２箇所の第１の凸部３０４間、及び２箇所の第２の凸部３０５間には、背面側に窪む退避凹部３０７がフレキシブル基板２０２の長手方向に沿って設けられる。
【００４０】
この退避凹部３０７により、フレキシブル基板２０２の差動信号配線パターン２０４とメインシャーシ３０３との接触を回避して、差動信号のインピーダンスコントロールに影響を与えないようにしている。
【００４１】
ここで、図７に示すように、第１の凸部３０４は、フレキシブル基板２０２がコネクタ６０６に接続された状態において、受け部３０６の受け面とコネクタ６０６の接続口６０６ａとを結ぶ線に沿ったフレキシブル基板２０２の延長線上に配置されている。
【００４２】
また、レンズ鏡筒２００に形成された第１の凹部２１０の幅Ｈ１は、第１の凸部３０４の幅Ｈ２よりも大きくなっている。同様に、レンズ鏡筒２００に形成された第２の凹部２１１の幅についても、第２の凸部３０５の幅よりも大きくなっている。これにより、凸部３０４，３０５に押し付けられたフレキシブル基板２０２を凹部２１０，２１１に干渉させることなく、凹部２１０，２１１に退避させることができる。
【００４３】
以上説明したように、本実施形態では、余裕を持って長さを長めに設定したフレキシブル基板２０２の組付後の余剰部分を第１の凹部２１０及び第２の凹部２１１に退避させるようにしている。このため、組付後のフレキシブル基板２０２の余剰部分が不用意に変形するのを抑制することができ、他部品に対して押圧力や引張力が作用しないようにすることができる。
【００４４】
具体的には、本実施形態では、組付後のフレキシブル基板２０２の余剰部分が不用意に変形して表示部５００の表示画面に押圧力が作用しないようにして、モアレが発生するなどの不具合を回避することができる。また、本実施形態では、組付後のフレキシブル基板２０２の余剰部分が不用意に変形して、フレキシブル基板２０２と撮像素子２０１との接続部（半田付け部）に過度な引張力が作用しないようにすることができる。
【００４５】
（第２の実施形態）
図８は、本発明の電子機器の第２の実施形態であるデジタルカメラにおけるカメラ本体１００の要部断面図である。なお、上記第１の実施形態に対して重複又は相当する部分については、図に同一符号を付してその説明を省略する。
【００４６】
本実施形態のデジタルカメラは、図８に示すように、フレキシブル基板２０２のコネクタ接続パターン２０８（図３（ａ）参照）の部位に、ＢｔｏＢコネクタ３０８が実装されている。一方、メイン基板６０５には、ＢｔｏＢコネクタ３０８が光軸方向に嵌合されるＢｔｏＢコネクタ３０９が実装されている。フレキシブル基板２０２のＢｔｏＢコネクタ３０８がメイン基板６０５のＢｔｏＢコネクタ３０９に対して光軸方向に嵌合されることで、メイン基板６０５とフレキシブル基板２０２とが電気的に接続される。
【００４７】
また、第１の凸部３０４の近傍でフレキシブル基板２０２を支持する受け部３０６の受け面は、光軸と直交する平面に沿って形成されている。従って、フレキシブル基板２０２は、第１の凸部３０４及び受け部３０６により動きを規制された状態で光軸と直交する平面に沿う方向に延びてＢｔｏＢコネクタ３０８がメイン基板６０５のＢｔｏＢコネクタ３０９に対して光軸方向に嵌合される。その他の構成、及び作用効果は、上記第１の実施形態と同様である。
【００４８】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００４９】
１００  カメラ本体
２００  レンズ鏡筒
２０１  撮像素子
２０２  フレキシブル基板
２１０  第１の凹部
２１１  第２の凹部
３００  電池収納部
３０３  メインシャーシ
３０４  第１の凸部
３０５  第２の凸部
３０６  受け部
６０６  コネクタ
【図１】
2015222911.tif 000003
【図２】
2015222911.tif 000004
【図３】
2015222911.tif 000005
【図４】
2015222911.tif 000006
【図５】
2015222911.tif 000007
【図６】
2015222911.tif 000008
【図７】
2015222911.tif 000009
【図８】
2015222911.tif 000010